(57)【要約】【課題】  横框内に浸入した雨水等を確実に排水でき、断熱建具の場合、その断熱性能の低下を防止でき、かつ気密性能を向上できる建具を提供すること。【解決手段】  サッシ窓１の障子２０Ａ，２０Ｂは、複層ガラス６５を保持する下框６３，６４を備える。下框６３，６４は、複層ガラス６５の端縁をガスケット６６を介して保持するパネル体保持開口部７５と、室外側面部に設けられた排水口８２とを有する。排水口８２は、貯水空間８０、連通孔８１からなる排水路を介してパネル体保持開口部７５に連通する。排水口８２には、排水路を開閉可能な排水弁９０が取り付けられている。排水路に排水弁９０を設けているので、貯水空間８０に所定量の雨水が溜まった場合のみ、排水弁９０が開いて雨水等が排水され、排水口８２が常時開口しないので、外気や雨水が排水口８２から室内側に流入せず、気密性能や水密性能の低下を防止できる。【選択図】図２
2005097928.tif 000002
【特許請求の範囲】
【請求項１】
枠材を枠組みして構成された開口枠と、この開口枠内に配置された障子とを備えた建具であって、
前記障子は、パネル体と、このパネル体を保持する縦框および横框とを備えて構成され、
前記縦框および横框は、パネル体の端縁を気密材を介して保持するパネル体保持開口部を有し、
前記パネル体の下端縁を保持する少なくとも一つの横框は、横框において室外側に面する室外側面部に設けられた排水口と、この排水口および前記パネル体保持開口部内の空間を連通する排水路とを有し、前記排水口または排水路には排水口または排水路を開閉可能な排水弁が取り付けられている建具。
【請求項２】
前記排水路は、前記パネル体保持開口部の下方に設けられて前記パネル体保持開口部および前記排水口にそれぞれ連通された貯水空間を備えて構成され、
前記排水弁は前記排水口または前記貯水空間の排水口側に設けられている請求項１に記載の建具。
【請求項３】
枠材を枠組みして構成された開口枠と、この開口枠内に配置された障子とを備えた建具であって、
前記障子は、パネル体と、このパネル体を保持する縦框および横框とを備えて構成され、
前記縦框および横框は、パネル体の端縁を気密材を介して保持するパネル体保持開口部を有し、
前記パネル体の下端縁を保持する少なくとも一つの横框は、横框において室外側に面する室外側面部に設けられて前記パネル体保持開口部内の空間と室外側空間とを連通する排水口を有し、この排水口には排水口を開閉可能な排水弁が取り付けられている建具。
【請求項４】
前記排水口および排水弁が設けられた横框は、パネル体の下端縁を保持する下框であり、この下框の室外側面部には下枠の上面よりも下方に突出された垂下片が形成され、前記開口枠の下枠には下枠内に流入した水を下枠の室外側に排水する下枠排水口が形成されている請求項１〜３のいずれかに記載の建具。
【請求項５】
前記下枠は、略フラットな形状とされた上面を備え、前記略フラットな上面に前記垂下片が配置される溝部が形成され、前記溝部には水抜き孔が形成されている請求項４に記載の建具。
【請求項６】
前記排水口および排水弁が設けられた横框は、室外側面部と、室内側面部と、各側面部の上端縁よりも下方の位置で各側面部間を連結する第１連結部と、この第１連結部よりも下方の位置で各側面部を連結する第２連結部とを備え、
前記第１連結部とこの第１連結部よりも上側の室外側面部および室内側面部によって区画された凹部により前記パネル体保持開口部が形成され、
前記室外側面部、室内側面部、第１連結部、第２連結部で区画される空間によって前記貯水空間が形成されている請求項１〜５のいずれかに記載の建具。
【請求項７】
前記排水口および排水弁が設けられた横框は、金属製の室外部材および室内部材と、前記室外部材および室内部材を連結する合成樹脂製の連結部材とを備えて構成され、
前記連結部材は、室外部材および室内部材の上端縁よりも下方の位置で各部材を連結する第１連結部材と、この第１連結部材よりも下方の位置で各部材を連結する第２連結部材とを備え、
前記第１連結部材と、室外部材および室内部材の前記第１連結部材よりも上側の部分によって区画された凹部により前記パネル体保持開口部が形成され、
前記室外部材、室内部材、第１連結部材、第２連結部材で区画される空間によって前記貯水空間が形成されている請求項１〜５のいずれかに記載の建具。
【請求項８】
前記排水口および排水弁が設けられた横框は、金属製の室外部材と、室外部材に比べて熱伝導率の低い材料で構成された室内部材とを備えて構成され、
前記室外部材は、室外側面部と、室内側面部と、各側面部の上端縁よりも下方の位置で各側面部間を連結する第１連結部と、この第１連結部よりも下方の位置で各側面部を連結する第２連結部とを備え、
前記第１連結部と、室外部材および室内部材の前記第１連結部よりも上側の部分によって区画された凹部により前記パネル体保持開口部が形成され、
前記室外部材の室外側面部、室内側面部、第１連結部、第２連結部で区画される空間によって前記貯水空間が形成されている請求項１〜５のいずれかに記載の建具。
【発明の詳細な説明】
【技術分野】
【０００１】
本発明は、引違い窓、辷り出し窓、はめ殺し窓、ドア等の各種建具に係り、特に、ガラス等のパネル体を保持する横框内に浸入した雨水等を排水可能な建具に関する。
【背景技術】
【０００２】
引違い窓等の建具において、ガラス等のパネル体を保持する障子（扉）は、上框、下框および縦框を框組みし、各框の内周面に形成されたパネル体保持溝内にガスケットを介して前記パネル体の端縁を保持することで構成されている。
この際、パネル体およびガスケット間の隙間や、ガスケットおよび框間の隙間から雨水や結露水が框内に浸入し、特に下框内に溜まるおそれがある。
【０００３】
このような下框に溜まる雨水や結露水を外部に排水するための排水孔（水抜き孔）を設けた建具が知られている（例えば、特許文献１参照）。
この特許文献１の建具では、下框の室外面を、上部対向片と、この上部対向片の下端屈曲部に連続して形成されて前記上部対向片よりも室内側の位置に形成された下部対向片とで構成している。そして、前記下端屈曲部に水抜き孔を形成し、下框のガラス板保持溝内に浸入した結露水を外部に排出できるように構成していた。
【０００４】
【特許文献１】実公昭６２−４４０５２号公報（第１図）
【発明の開示】
【発明が解決しようとする課題】
【０００５】
しかしながら、前記特許文献１では、室外側に連通する水抜き孔が下框に開口されているので、その水抜き孔から常に外気が下框内の空間（パネル体保持溝内等）に流入し、このような水抜き孔が形成されていない場合に比べて建具の気密性能が低下するという問題がある。
また、下框において、室外面だけでなく、下框内の空間に面する室内面等にも外気が触れることになるため、断熱性能が低下するという問題がある。特に、金属製の室外部材および室内部材と、金属に比べて断熱性能に優れた合成樹脂等で構成された連結部材とで構成され、外気温の影響を受ける室外部材からの熱伝導を断熱性の連結部材で遮断して室内部材に伝えないことで断熱性能を確保している断熱框を用いた場合、外気が直接室内部材に接触してしまうため、断熱性能が低下し、断熱サッシ（建具）に要求される断熱性能を維持できないという問題がある。
このため、特許文献１では、室内部材を合成樹脂製の被覆部で被覆することで断熱性能を維持しているが、室内部材全体を被覆部で被覆しなければならず、製造コストが高くなり、断熱サッシの生産性も低下するという問題があった。
さらに、水抜き孔が開口されていることから、水抜き孔から下框内に雨水が直接吹き込む可能性もあり、吹き込んだ雨水がパネル体およびガスケット間の隙間からサッシの室内側に浸入してしまう可能性もあった。
【０００６】
本発明の目的は、横框内に浸入した雨水等を確実に排水できるとともに、断熱建具の場合、その断熱性能の低下を防止でき、かつ気密性能を向上できる建具を提供することにある。
【課題を解決するための手段】
【０００７】
本発明の建具は、枠材を枠組みして構成された開口枠と、この開口枠内に配置された障子とを備えた建具であって、前記障子は、パネル体と、このパネル体を保持する縦框および横框とを備えて構成され、前記縦框および横框は、パネル体の端縁を気密材を介して保持するパネル体保持開口部を有し、前記パネル体の下端縁を保持する少なくとも一つの横框は、横框において室外側に面する室外側面部に設けられた排水口と、この排水口および前記パネル体保持開口部内の空間を連通する排水路とを有し、前記排水口または排水路には排水口または排水路を開閉可能な排水弁が取り付けられていることを特徴とするものである。
【０００８】
このような本発明によれば、パネル体保持開口部内の空間に雨水や結露水（以下雨水等と略す）が浸入した場合、その雨水等は前記排水路を介して横框の室外側面部に形成された排水口から室外側に排出される。
この際、前記排水口または排水路には、排水弁が設けられているため、例えば、排水弁の室外側の気圧が排水弁の内側（パネル体保持開口部側）に貯留された雨水等によって排水弁に加わる圧力（以下水頭圧という）よりも高い場合には、前記排水弁が閉じて排水口または排水路が閉塞され、逆に、外気圧が水頭圧よりも低い場合には、前記排水弁が開いて排水口や排水路が開口されて雨水等が排水されることになる。
【０００９】
このように排水口や排水路に排水弁を設けることで、排水弁の内側に所定量の雨水が溜まった場合等、所定の条件を満足する場合のみ、排水弁が開いて雨水等が排水されることになるため、排水口や排水路が常時開口することを防止できる。このため、外気が排水口からパネル体保持開口部内や障子の室内側に流入することを防止でき、気密性能の低下を防止でき、かつ雨水等がパネル体保持開口部から室内側に浸入することも防止できる。
さらに、外気がパネル体保持開口部内の空間に流入しないので、横框の断熱性能を向上できる。このため、横框に断熱材を介在させて断熱框とした場合にも、断熱性能の低下を防止でき、かつ框材を断熱材などで被覆する必要もなく、製造コストを低減でき、生産性も向上できる。
【００１０】
ここで、前記排水路は、前記パネル体保持開口部の下方に設けられて前記パネル体保持開口部および前記排水口にそれぞれ連通された貯水空間を備えて構成され、前記排水弁は前記排水口または前記貯水空間の排水口側に設けられていることが好ましい。
このような構成によれば、排水口と前記パネル体保持開口部とが、貯水空間を介して連通されるため、パネル体保持開口部に流入した水は、貯水空間に流入して溜まり、貯水空間に溜まった水の水頭圧が前記排水弁に加わる外気圧よりも大きくなると、排水弁が開いて貯水空間内の水が排水される。このように、貯水空間を形成することで、流入した水を多く貯めることができて排水弁に加わる水頭圧を高くできるので、風雨が強い場合のように、外気圧が高い場合でも、効率よく排水することができる。
【００１１】
また、本発明の建具は、枠材を枠組みして構成された開口枠と、この開口枠内に配置された障子とを備えた建具であって、前記障子は、パネル体と、このパネル体を保持する縦框および横框とを備えて構成され、前記縦框および横框は、パネル体の端縁を気密材を介して保持するパネル体保持開口部を有し、前記パネル体の下端縁を保持する少なくとも一つの横框は、横框において室外側に面する室外側面部に設けられて前記パネル体保持開口部内の空間と室外側空間とを連通する排水口を有し、この排水口には排水口を開閉可能な排水弁が取り付けられていることを特徴とするものである。
【００１２】
このような本発明によれば、パネル体保持開口部内の空間に浸入した雨水等は、横框の室外側面部に形成された排水口から室外側に排出される。この際、前記排水口には、排水弁が設けられているため、例えば、排水弁の室外側の気圧が、排水弁の内側（パネル体保持開口部側）に貯留された雨水等によって排水弁に加わる水頭圧よりも高い場合には、前記排水弁が閉じて排水口が閉塞され、逆に、外気圧が水頭圧よりも低い場合には、前記排水弁が開いて排水口が開口されて雨水等が排水されることになる。このため、排水口が常時開口することを防止でき、外気が排水口からパネル体保持開口部内や障子の室内側に流入することを防止でき、気密性能の低下を防止でき、かつ雨水等がパネル体保持開口部から室内側に浸入することも防止できる。さらに、外気がパネル体保持開口部内の空間に流入しないので、横框の断熱性能を向上できる。このため、横框に断熱材を介在させて断熱框とした場合にも、断熱性能の低下を防止でき、かつ框材を断熱材などで被覆する必要もなく、製造コストを低減でき、生産性も向上できる。
【００１３】
ここで、前記排水口および排水弁が設けられた横框は、パネル体の下端縁を保持する下框であり、この下框の室外側面部には下枠の上面よりも下方に突出された垂下片が形成され、前記開口枠の下枠には下枠内に流入した水を下枠の室外側に排水する下枠排水口が形成されていることが好ましい。
【００１４】
このような構成によれば、下框の排水口から排出されて下框の室外側面部に沿って流れ落ちた雨水等は、前記垂下片によって水切りされて下枠上面よりも下方に流下し、この流下した水は下枠の下枠排水口を介して下枠外部に排出することができる。このため、雨水等を下枠内に誘導して効率よく排出することができる。また、下框から排出された雨水等が、下枠内に誘導されるため、下枠内に誘導せずに単に下枠上面に排出された場合に比べて、排出された雨水等が風などによって下枠および下框間の気密材部分に吹き付けられることもなく、気密性能を向上できる。
【００１５】
また、前記下枠は、略フラットな形状とされた上面を備え、前記略フラットな上面に前記垂下片が配置される溝部が形成され、前記溝部には水抜き孔が形成されていることが好ましい。
このような本発明によれば、パネル体保持開口部内に浸入した雨水等は、下枠に形成された溝部内に誘導されるとともに、溝部内の水抜き孔、および下枠排水口を介して下枠外部に効率よく排出できるとともに、下枠の略フラットな上面に雨水等が流出することを防止できる。このため、人や車椅子等が通過する下枠の略フラットな上面が雨水等で濡れにくくなり、通過時に水などで滑ることも防止できる。
【００１６】
前記排水口および排水弁が設けられた横框は、室外側面部と、室内側面部と、各側面部の上端縁よりも下方の位置で各側面部間を連結する第１連結部と、この第１連結部よりも下方の位置で各側面部を連結する第２連結部とを備え、前記第１連結部とこの第１連結部よりも上側の室外側面部および室内側面部によって区画された凹部により前記パネル体保持開口部が形成され、前記室外側面部、室内側面部、第１連結部、第２連結部で区画される空間によって前記貯水空間が形成されていることが好ましい。
このような構成によれば、下枠に中空部を形成することで貯水空間を容易に構成することができ、特にアルミ等の金属製押出形材で下枠を構成している場合等に貯水空間を一体に成形できて容易に構成できる。また、貯水空間となる中空部を備えた下枠は、その中空部によって強度を高めることができる。
【００１７】
前記排水口および排水弁が設けられた横框は、金属製の室外部材および室内部材と、前記室外部材および室内部材を連結する合成樹脂製の連結部材とを備えて構成され、前記連結部材は、室外部材および室内部材の上端縁よりも下方の位置で各部材を連結する第１連結部材と、この第１連結部材よりも下方の位置で各部材を連結する第２連結部材とを備え、前記第１連結部材と、室外部材および室内部材の前記第１連結部材よりも上側の部分によって区画された凹部により前記パネル体保持開口部が形成され、前記室外部材、室内部材、第１連結部材、第２連結部材で区画される空間によって前記貯水空間が形成されているものでもよい。
このような構成によれば、金属製の室内外部材を合成樹脂製の連結部材で連結した断熱框においても貯水空間を容易に構成することができる。特に、戸車等が設けられるために上框に比べて高さ寸法が大きくなる下框では、アルミ等の金属製押出形材等で構成される室外部材および室内部材を、通常は、少なくとも上下２カ所に設けられた合成樹脂製の連結部材で連結しているため、各連結部材間に区画形成される空間をそのまま貯水空間として利用でき、貯水空間を容易に構成できる。
【００１８】
前記排水口および排水弁が設けられた横框は、金属製の室外部材と、室外部材に比べて熱伝導率の低い材料で構成された室内部材とを備えて構成され、前記室外部材は、室外側面部と、室内側面部と、各側面部の上端縁よりも下方の位置で各側面部間を連結する第１連結部と、この第１連結部よりも下方の位置で各側面部を連結する第２連結部とを備え、前記第１連結部と、室外部材および室内部材の前記第１連結部よりも上側の部分によって区画された凹部により前記パネル体保持開口部が形成され、前記室外部材の室外側面部、室内側面部、第１連結部、第２連結部で区画される空間によって前記貯水空間が形成されているものでもよい。ここで、室内部材としては、合成樹脂、木、木粉入り樹脂等の断熱性に優れた材料で構成されたものが利用できる。
このような構成によれば、金属製の室外部材および合成樹脂等で構成された室内部材からなる断熱框においても貯水空間を容易に構成することができる。特にアルミ等の金属製押出形材で構成される室外部材に貯水空間を形成しているので、室外部材の強度を貯水空間（中空部）によって高めることができる。また、室内部材には貯水空間内の雨水等が接触することがないため、木製の室内部材を用いることもでき、室内部材として利用可能な材質の選択肢を増やすことができる。
【発明を実施するための最良の形態】
【００１９】
以下、本発明の一実施形態を図面に基づいて説明する。なお、図１では、建具であるサッシ窓１の縦断面が示されているが、図面を見やすくするために、主要な構成部材については、その断面部分のハッチングを省略してある。
【００２０】
〔全体構造〕
図１において、サッシ窓１は、引違い窓を構成するものであって、より詳しくは、戸建て住宅やマンション等においてバルコニー等に出入りする部分に設けられるテラス戸である。このサッシ窓１は、建物の開口部に取り付けられた開口枠としての窓枠１０と、この窓枠１０内に摺動可能に建て付けられた室外側の外障子２０Ａおよび室内側の内障子２０Ｂとを備え、外障子２０Ａの室外側には網戸が建て付けられるようになっている。
【００２１】
窓枠１０は、上枠１１、下枠１２および左右の縦枠（図示略）を四周枠組みして構成されている。各枠１１，１２はそれぞれ、アルミ押出形材製の室外部材１１Ａ，１２Ａと、アルミ押出形材製の室内部材１１Ｂ，１２Ｂと、これらを連結する合成樹脂製の連結部材１１Ｃ，１２Ｃとを含んだ断熱形材で構成されている。なお、図示しない縦枠も同様なアルミ押出形材製の室外部材および室内部材を合成樹脂製の連結部材で連結した断熱形材で構成されている。
ここで、連結部材１１Ｃ，１２Ｃは、溶融したウレタン樹脂等の合成樹脂を室外部材１１Ａ，１２Ａ、室内部材１１Ｂ，１２Ｂ間の対向するポケット部分に注入、硬化させることで形成されている。ただし、予め成型された硬質合成樹脂製の板状部材で連結部材を形成してもよく、このような板状部材は、室内外部材間にかしめ等によって取り付けられる。これらの連結部材１１Ｃ，１２Ｃは、室外部材１１Ａ，１２Ａ、室内部材１１Ｂ，１２Ｂ間の熱伝導を遮断する断熱材として機能している。
【００２２】
上枠１１の室外部材１１Ａおよび室内部材１１Ｂには、それぞれ下方に垂下した外レール１５および内レール１６が設けられている。各レール１５，１６では、外障子２０Ａおよび内障子２０Ｂの上部側がガイドされている。
下枠１２の室外部材１２Ａおよび室内部材１２Ｂには、それぞれ上方に突設した外レール１７および内レール１８が設けられている。
【００２３】
〔下枠構造〕
次に、下枠１２について、図２〜図３をも参照して詳説する。
下枠１２の各レール１７，１８間には、下枠１２の長手方向に沿って一体成形された支持片部４１が設けられている。この支持片部４１の上面には立上部材７０が取り付けられている。この支持片部４１および立上部材７０により、各レール１７，１８間に設けられて車椅子のキャスター等がレール１７，１８間に嵌ることを防止する突出部が構成されている。
一方、下枠１２の室内側端部つまり室内部材１２Ｂの室内側端部には室内の床板５上に取り付けられるアングル部５０が設けられている。
そして、下枠１２の各レール１７，１８、立上部材７０、アングル部５０の各上面の高さレベルは略同一とされ、下枠１２は、上面に殆ど段差が生じない、つまり略フラットな上面を有するバリアフリータイプの下枠とされている。なお、立上部材７０は、硬質ＰＶＣ（ポリ塩化ビニル）等の樹脂製あるいはアルミ等の金属製などが適宜用いられる。なお、下枠１２の召合せ部分に風止め部材を配置する場合、この風止め部材を挟んで、閉鎖状態の外障子が配置される外障子側領域および内障子が配置される内障子側領域にそれぞれ立上部材７０を配置すればよく、各領域に配置される立上部材７０の材質は同一でも異なるものでもよい。
【００２４】
立上部材７０と室内部材１２Ｂとの間には、立上部材７０、室内部材１２Ｂの内レール１８、連結部材１２Ｃによって区画される溝部５１が形成されている。
また、室外部材１２Ａの外レール１７の室外側には、外レール１７に隣接して設けられた溝部５２が形成されている。
溝部５１に面する立上部材７０および支持片部４１には、それぞれ水抜き孔５３，５４が１つあるいは複数個形成されており、溝部５１に流入した雨水等を、下枠１２の上面４４において、外レール１７、支持片部４１、上面４４、風止め部材、縦枠で区画形成される水溜空間２２まで排出可能に構成されている。
【００２５】
さらに、水溜空間２２に面する外レール１７の基端部には、排出口２３が１つあるいは複数個形成されており、水溜空間２２に流入した雨水等を排出口２３から室外側に排水可能に構成されている。なお、外障子側領域に設けられる排出口２３には、図示しない排水弁を有する排出口カバーが取り付けられる。すなわち、外障子側領域の水溜空間２２は、外障子２０Ａの室内側に形成されるため、外障子によって外気から遮断された室内側空間となる。このため、水溜空間２２の圧力（内圧）は室外側の風圧力（外圧）と異なる。
従って、風がサッシ窓１側に吹き付けて風圧が高まった場合（風圧力が正圧となった場合）等、水溜空間２２に溜まった雨水等の水頭圧が外圧よりも小さい状態では、排水弁は閉じられるため、風が水溜空間２２に吹き込むことを防止している。
一方、風圧力が負圧となった場合等、水溜空間２２に溜まった雨水等の水頭圧が外圧よりも大きくなれば、その圧力差で排水弁が開いて水溜空間２２内の雨水が室外側に排水される。
一方、内障子側領域に設けられる水溜空間２２は、内障子２０Ｂの室外側であって外気と同圧となるため、排出口２３には排出口カバーを設ける必要がない。
【００２６】
また、溝部５２の底面にも、水抜き孔５５が形成され、溝部５２に流入した雨水等を、室外部材１２Ａに形成された中空部５６内に排出可能に構成されている。中空部５６の底面には、水抜き孔５７が形成され、中空部５６内に流入した雨水等を水抜き孔５７を介して室外側に排出可能に構成されている。
【００２７】
［障子の構成］
窓枠１０内に配置される外障子２０Ａは、上框（横框）６１と、下框（横框）６３と、縦框（図示略）と、外召合せ框（図示略）とを四角枠状に組んで構成されている。また、内障子２０Ｂは、上框（横框）６２と、下框（横框）６４と、縦框（図示略）と、内召合せ框（図示略）とを四角枠状に組んで構成されている。そして、各框６１〜６４の内周面には、パネル体としての複層ガラス６５が気密材としてのガスケット６６を介して嵌合されている。なお、他の実施形態の図面を含め、複層ガラス６５およびガスケット６６のハッチングは図を見やすくするために省略している。
【００２８】
各框６１〜６４は、それぞれアルミ形材製の室外部材６１Ａ〜６４Ａおよび室内部材６１Ｂ〜６４Ｂと、これらを連結する断熱材からなる連結部材６１Ｃ，６２Ｃ，６３１Ｃ，６３２Ｃ，６３３Ｃ，６４１Ｃ，６４２Ｃ，６４３Ｃとを含んだ断熱形材で構成されている。なお、本実施形態では、上框６１，６２や縦框の連結部材６１Ｃ，６２Ｃは樹脂を注入して構成されている。また、下框６３，６４の上部側に設けられた第１連結部材６３１Ｃ，６４１Ｃと、高さ方向の中間部側に設けられた第２連結部材６３２Ｃ，６４２Ｃも、同様の樹脂を注入して構成されている。一方、下框６３，６４の下部側に設けられた第３連結部材６３３Ｃ，６４３Ｃは、硬質合成樹脂製の板材をかしめで取り付けることで構成されている。
【００２９】
［下框の構成］
次に、本発明の特徴部分である下框６３，６４の構成について図２，３を参照して詳述する。
各下框６３，６４の室外部材６３Ａ，６４Ａには、複層ガラス６５の室外側を保持するガラス保持片７１が形成され、室内部材６３Ｂ，６４Ｂには複層ガラス６５の室内側を保持するガラス保持片７２がそれぞれ形成されている。また、各室内部材６３Ｂ，６４Ｂには、断面略矩形状の中空部７３が形成されている。
そして、前記ガラス保持片７１，７２、中空部７３の上面７４、連結部材６３１Ｃ，６４１Ｃによって区画された溝部（凹部）によってパネル体保持開口部７５が構成されている。パネル体保持開口部７５は、上方に開口されており、その底面には複数のセッティングブロック７６が配置されている。また、パネル体保持開口部７５には、前記ガスケット６６が取り付けられている。このガスケット６６は、断面略コ字状に形成された合成樹脂製の部材であり、パネル体保持開口部７５の開口つまり各ガラス保持片７１，７２の上端縁に係合されている。
そして、ガスケット６６内には複層ガラス６５の端部が配置されている。従って、複層ガラス６５は、気密材であるガスケット６６を介してパネル体保持開口部７５に保持されている。なお、複層ガラス６５の荷重はガスケット６６およびセッティングブロック７６を介して下框６３，６４で支持されている。
【００３０】
また、室内部材６３Ｂ，６４Ｂの中空部７３における室外面７３Ａと、この室外面７３Ａに対向する室外部材６３Ａ，６４Ａと、第１連結部材６３１Ｃ，６４１Ｃと、第２連結部材６３２Ｃ，６４２Ｃとで囲まれた空間によって、貯水空間８０が形成されている。
そして、第１連結部材６３１Ｃ，６４１Ｃには、前記パネル体保持開口部７５と貯水空間８０とを連通する連通孔８１が１つあるいは複数個形成されている。
また、前記室外部材６３Ａ，６４Ａには、貯水空間８０と下框６３，６４の外部空間（室外側空間）とを連通する排水口８２が１つあるいは複数個形成されている。
従って、排水口８２により、パネル体保持開口部７５内の空間と室外側空間とを連通する排水口が構成されている。また、貯水空間８０および連通孔８１により、排水口８２から前記パネル体保持開口部７５に至る排水路が構成されている。
そして、排水口８２には、図４にも示すように、排水路を開閉可能な排水弁９０が取り付けられている。なお、本実施形態では、排水口８２は、下框６３，６４の最も室外側の面に形成されていることになる。
【００３１】
排水弁９０は、本体９１および弁体９２で構成されている。本体９１は、上面および左右の側面に係合用突起９３が形成されている。この本体９１を排水口８２に外部側から差し込むと、本体９１が弾性変形して係合用突起９３が排水口８２内に押し込まれ、係合用突起９３と表面カバー部９４との間に前記室外部材６３Ａが挟持される。これにより排水弁９０を排水口８２に取り付けることができる。
【００３２】
本体９１には、排水口８２に取り付けられた際に、貯水空間８０と排水口８２の外部側とを連通する貫通孔９５が形成されている。なお、本体９１において貫通孔９５の下面は開口されており、本体９１を室外部材６３Ａの連結部材６３２Ｃが注入されるポケット部上面６７に当接させることで、貫通孔９５が区画形成されている。なお、本体９１の貫通孔９５の下面を開口させず、本体９１だけで区画形成された貫通孔９５としてもよい。
前記弁体９２は、本体９１に対して回動自在に取り付けられ、前記貫通孔９５を開閉できるように構成されている。すなわち、貫通孔９５の左右両側面には、貯水空間８０側から外部に向かって斜め下方に傾斜する傾斜部９６が突設されている。そして、前記弁体９２は、上端側が本体９１に対して回動自在に取り付けられ、弁体９２の両端部が傾斜部９６に当接した際に、弁体９２の下端縁がポケット部上面６７に当接して貫通孔９５を閉鎖するように構成されている。なお、弁体９２は、自重によって回動軸に対して鉛直方向に向くような力が働くため、自重により前記傾斜部９６に常時当接するように構成されている。
【００３３】
前記弁体９２には、貯水空間８０内の雨水等の水頭圧によって弁体９２を開く方向の力が加わる。一方、弁体９２には、弁体９２の自重による荷重と弁体９２の外部側の気圧とによって弁体９２を閉じる力が加わる。従って、弁体９２を開く力が閉じる力を越えると、弁体９２が外部側に回動して貫通孔９５が開き、貯水空間８０内の雨水等を排出できるように構成されている。
【００３４】
また、室外部材６３Ａ，６４Ａの下端縁は、室内部材６３Ｂ，６４Ｂの下端縁よりも下方に延長された垂下片７７とされている。この垂下片７７は、溝部５１，５２内にそれぞれ配置され、かつ、その室内面には、レール１７，１８に当接して気密する気密材（シール材）７８がそれぞれ取り付けられている。なお、本実施形態では、気密材７８を垂下片７７側に取り付けたが、レール１７，１８の室外面に気密材７８を取り付けて、その気密材７８を垂下片７７の室内面に当接させてもよい。
また、各下框６３，６４には、図１に示すように、前記各レール１８，１９上を転動する戸車３２が回転自在に支持されている。
【００３５】
次に、外障子２０Ａ、内障子２０Ｂにおける雨水等を排水するための排水構造に関して説明する。
外障子２０Ａや内障子２０Ｂのパネル体保持開口部７５内に雨水等が浸入すると、その雨水等は、図２に示すように、連結部材６３１Ｃ，６４１Ｃに形成された連通孔８１を介して貯水空間８０内に流入する。
そして、貯水空間８０に貯えられた水によって弁体９２に加わる圧力が、外気圧や弁体９２の自重によって弁体９２を傾斜部９６に当接して貫通孔９５を閉じようとする力よりも小さい状態では、弁体９２は閉じた状態に維持される。このため、貯水空間８０内に流入した雨水等は貯水空間８０内に貯留される。
また、弁体９２が閉じられている状態では、室外部材６３Ａ，６４Ａに形成された排水口８２が閉じられているので、外気や雨水等が排水口８２部分から貯水空間８０やパネル体保持開口部７５内に流入することがなく、従って、外気や雨水等が排水口８２から室内空間に流入することもない。
【００３６】
そして、貯水空間８０内に溜まった水の水頭圧が、外気圧等よりも大きくなると、図３に示すように、弁体９２が開いて貯水空間８０内の雨水等が貫通孔９５（排水口８２）から下框６３，６４外部に排出される。
外部に排出された雨水等は、室外部材６３Ａ，６４Ａの室外側面部を伝わるなどして、室外部材６３Ａ，６４Ａ下端の垂下片７７から溝部５１，５２内に流下される。
溝部５１内に流入した雨水等は、水抜き孔５３，５４、水溜空間２２、排出口２３を介して下枠１２の室外側に排水される。また、溝部５２に流入した雨水等は、水抜き孔５５、中空部５６、水抜き孔５７を介して下枠１２の室外側に排水される。従って、水抜き孔５３，５４、排出口２３、水抜き孔５５、水抜き孔５７によって、溝部５１，５２に流入した雨水等を下枠１２の室外側に排水する下枠排水口が構成されている。
【００３７】
このような本実施形態によれば、以下のような効果がある。
(1) 下框６３，６４においてパネル体保持開口部７５内に流入した雨水等を排水するための排水口８２に排水弁９０を設けたので、排水口８２が開口された状態のままである場合に比べて、排水口８２から外気や雨水等がパネル体保持開口部７５を介して室内空間に流入することがなく、気密性能や水密性能の低下を防止できる。
また、外気がパネル体保持開口部７５に流入しないため、例えば、外気温が室温よりも低い場合でも、室内部材６３Ｂ，６４Ｂが外気に触れて冷却されることがなく、断熱性能の低下を防止でき、断熱サッシに要求される断熱性能を十分に維持することができる。
さらに、外気が室内部材６３Ｂ，６４Ｂに接触することがないため、特許文献１のように、室内部材６３Ｂ，６４Ｂ全体を合成樹脂製の被覆部で被覆する必要もなく、下框６３，６４の製造コストつまりはサッシ窓１の製造コストを低減でき、サッシ窓１の生産性も向上できる。
【００３８】
(2) 下框６３，６４に貯水空間８０を形成したので、排水口８２が弁体９２で閉じられている状態でも、パネル体保持開口部７５に流入した雨水等を貯水空間８０に十分に貯めることができる。このため、例えば、強風が吹いているなどで室外の気圧が高い場合でも、ある程度高さ寸法を有する貯水空間８０に雨水等を貯えることで、パネル体保持開口部７５から雨水等があふれることを防止でき、弁体９２に作用する水頭圧も大きくすることができる。従って、室外空間の気圧が高い状態でも、確実に弁体９２を開いて効率よく排水することができ、排水できない雨水等が溢れてパネル体保持開口部７５から室内側に浸入することも防止できる。
【００３９】
(3) 排水口８２を下框６３，６４の室外側の面に設けているので、中空部７３や中空形状の貯水空間８０の見込み寸法を比較的大きくできる。このため、例えば、排水口を下框６３，６４の見込み方向の中間部に設けた場合に比べて、ホロー部（中空部）を大きくできるため、下框６３，６４の強度を向上することができる。
【００４０】
(4) 排水口８２を下框６３，６４の室外部材６３Ａ，６４Ａつまり下框６３，６４の室外側面部に形成したので、排水口８２から排出された雨水等を下框６３，６４の室外側面部に沿って垂下片７７から下枠１２に流下させることができる。従って、排水口８２が下框６３，６４の室外側面部よりも室外側に突出させた場合に比べて、排水口８２から排水された雨水等が空中に飛散することを少なくでき、飛散された雨水等が風などによって下框６３，６４部分に吹き戻ることも少なくなり、雨水等を下枠１２から効率よく排水できる。
【００４１】
(5) 下框６３，６４の垂下片７７を下枠１２に形成した溝部５１，５２内に配置したので、排出された雨水を垂下片７７から溝部５１，５２内に確実に導入できる。このため、下枠１２の上面がフラットとされたバリアフリータイプの下枠において、雨水等がフラットな上面に残ることがなく、雨水等を下枠１２の室外側に効率よく排水できるとともに、フラット面に雨水等が残ることで、車椅子の車輪等がスリップすることなども防止できる。
【００４２】
(6) 排水弁９０において、弁体９２を傾斜部９６に当接させることで貫通孔９５を閉鎖するように構成したので、弁体９２の自重によって閉鎖状態を維持でき、風の負圧などによって簡単に開いてしまうことを防止できる。すなわち、通常の排水弁では、弁が鉛直方向に向いた際に開口を閉じるように構成されているが、この場合、僅かな負圧が弁に働いても弁が開いてしまうおそれがある。このため、貯水空間８０内に水が溜まっておらず、水圧によって開くことがない状態でも、風の負圧によって開いてしまい、外気が内部に流入するおそれがある。これに対し、本実施形態では、弁体９２が傾斜状態で貫通孔９５を閉鎖するように構成したので、多少の負圧が働いても弁体９２の自重によって閉鎖状態を維持でき、貯水空間８０の雨水等の水頭圧が作用しない限り、弁体９２が開くことがないため、排水弁９０部分からの外気の流入を確実に防止することができる。
【００４３】
(7) 排水弁９０を貯水空間８０の底面つまり室外部材６３Ａ，６４Ａのポケット部上面６７に当接させて配置しているので、貫通孔９５の底面を室外部材６３Ａ，６４Ａで形成でき、排水弁９０の構造を簡単にすることができるとともに、貯水空間８０の底面上の水を効率よく排水することができる。
また、排水弁９０は係合用突起９３を有しているため、排水口８２に排水弁９０を押し込むだけで取り付けることができ、その取付作業も容易に行うことができる。
【００４４】
(8) 外レール１７および内レール１８間に支持片部４１および立上部材７０を設け、各レール１７，１８および立上部材７０の上端高さレベルを略同一としたので、下枠１２の上面に段差などが無くなり、車椅子で移動する場合や子供、老人等が歩行する場合にスムーズに移動できるバリアフリー対応のサッシ窓１を構成できる。
【００４５】
(9) 立上部材７０は、下枠１２に対して着脱可能に設けられているので、水溜空間２２等の清掃も容易に行えるとともに、仮に立上部材７０が破損しても、容易に新品に交換して対応することができる。
【００４６】
次に、本発明の第２実施形態について説明する。なお、以下の各実施形態において、前述する各実施形態と同様、同一の構成には同一符号を付し、説明を省略または簡略し、各実施形態の特徴部分について詳述する。
図５に示すように、第２実施形態は、貯水空間８０を室外部材６３Ａ，６４Ａに形成したホロー部（中空部）で形成した点が前記第１実施形態と相違し、他の構成は前記第１実施形態と同様なため説明を省略する。
【００４７】
本実施形態では、室外部材６３Ａ，６４Ａは、その室外側面部から室内側に延長されて連結部材６３１Ｃが充填されるポケット部が形成される上面部７９Ａと、この上面部７９Ａから下方に延長されさらに室外側に延長されて断面略Ｌ字状に形成された室内側面部７９Ｂとを備え、これらの上面部７９Ａ、室内側面部７９Ｂおよび室外部材６３Ａ，６４Ａの室外側面部で囲まれた中空部によって貯水空間８０が構成されている。
そして、上面部７９Ａには、パネル体保持開口部７５および貯水空間８０を連通する連通孔８１が１箇所あるいは複数箇所に形成されている。
また、室外部材６３Ａ，６４Ａの室外側面部と室内側面部７９Ｂとの接合部には排水口８２が形成され、排水口８２には排水弁９０が取り付けられている。そして、排水弁９０は室内側面部７９Ｂ上面に当接され、室内側面部７９Ｂによって貫通孔９５の下面が区画形成されている。
【００４８】
本実施形態においても、前記第１実施形態と同様の作用効果を奏することができる。
また、貯水空間８０を形成する際に、連結部材６３１Ｃ，６４１Ｃ、連結部材６３２Ｃ，６４２Ｃで区画せず、貯水空間８０内に貯留された水が連結部材６３１Ｃ，６４１Ｃ，６３２Ｃ，６４２Ｃに接触することがないため、水に接触しても劣化しない耐水性に優れた合成樹脂を用いる必要が無く、使用可能な樹脂の種類を多くでき、選択肢が増えるために樹脂選択も容易にできる。
さらに、貯水空間８０が室外部材６３Ａ，６４Ａのみに形成されているため、貯水空間８０内に溜まった水が室内部材６３Ｂ，６４Ｂに接触することがなく、この点でも断熱性能をより一層向上することができる。
また、室外部材６３Ａ，６４Ａに中空部を形成して貯水空間８０を構成しているので、室外部材６３Ａ，６４Ａの強度をより向上することができる。
【００４９】
次に、本発明の第３実施形態について図６を参照して説明する。第３実施形態は、下枠１２０が階段状に形成された形状の下枠である点と、下框６３０，６４０がアルミ等の金属形材で構成されていて断熱材が介在されていない点で前記各実施形態と相違する。
すなわち、下框６３０，６４０は、室外側面部６３１，６４１と、室内側面部６３２，６４２と、これらを連結する第１連結部６３３，６４３、第２連結部６３４，６４４、第３連結部６３５，６４５とを備えたアルミ等の金属材の押出形材によって構成されている。
本実施形態では、室外側面部６３１，６４１と、室内側面部６３２，６４２と、上部側の第１連結部６３３，６４３と、上下方向の中間部の第２連結部６３４，６４４とで、貯水空間８０が区画形成されている。そして、室外側面部６３１，６４１において貯水空間８０の下端部に排水口８２が形成され、排水弁９０が取り付けられている。
また、第１連結部６３３，６４３には、パネル体保持開口部７５および貯水空間８０を連通する連通孔８１が形成されている。
なお、このような階段状の下枠１２０における上面は、下枠１２０において最も高さ位置が高いアングル部５０の表面となる。
【００５０】
このような本実施形態においても、パネル体保持開口部７５に流入した雨水は、連通孔８１を介して貯水空間８０に溜まり、その水頭圧で弁体９２が開くと、排水口８２から外部に排出される。排出された雨水等は、下枠１２０上に流下し、下枠１２０に設けられた排水経路を介して室外側に排出される。この下枠１２０の排水経路は、一般的なサッシ窓と同様のものが利用できるため、説明を省略する。
【００５１】
このような本実施形態においても、前記第１実施形態と同様の作用効果を奏することができる。
また、貯水空間８０を比較的大きく形成できるため、前記実施形態に比べてより多くの雨水を貯水空間８０に貯めることができる。
【００５２】
次に、本発明の第４実施形態について図７〜１１を参照して説明する。第４実施形態は、第３実施形態に対し、排水弁９００が水平面に取り付けられている点で相違する。
すなわち、下框６３０，６４０において、中間部分に形成された第２連結部６３４，６４４は、室内外方向（見込み方向）の中間部から室外側に向かって二股に分岐され、室外側面部６３１，６４１とともに中空部６３６，６４６を形成している。
この中空部６３６，６４６部分の上面には、排水弁９００が取り付けられる第１排水口８２０が形成され、前記貯水空間８０と中空部６３６，６４６とは第１排水口８２０を介して連通されている。また、室外側面部６３１，６４１には中空部６３６，６４６と下框６３０，６４０の外部側とを連通する第２排水口８３０が形成されている。
従って、第２排水口８３０によって、室外側面部６３１，６４１に設けられて前記パネル体保持開口部７５内の空間と室外側空間とを連通する排水口が構成される。また、連通孔８１、貯水空間８０、第１排水口８２０、中空部６３６，６４６によって、排水口８３０からパネル体保持開口部７５に至る排水路が構成されている。このため、排水弁９００は、排水路を開閉可能な排水弁となるが、排水路の途中に設けられている点で、排水路の端部である排水口８２に設けられる排水弁９０と配置位置が相違することになる。
【００５３】
排水弁９００は、図８から図１１に示すように、角筒状に形成された本体９０１と、本体９０１の上面に形成されたカバー部９０２と、本体９０１に対して回動自在に取り付けられた弁体９１０とを備えて構成されている。本体９０１およびカバー部９０２には上下方向に連通する連通孔９０３が形成されており、この連通孔９０３は前記弁体９１０で開閉されるように構成されている。弁体９１０は、水平な回転軸９１１を備え、回転軸９１１を挟んで一方側にバランサ９１２、他方側に蓋部９１３を備えている。
【００５４】
蓋部９１３は、回転軸９１１から斜め下方に向かって延長され、その先端は本体９０１の内面に突設された係止片部９０４に下方から当接して係止可能に構成されている。そして、蓋部９１３が係止片部９０４に当接することで連通孔９０３が弁体９１０で閉鎖されるように構成されている。
【００５５】
バランサ９１２は、蓋部９１３に比べて重くなるように肉厚に形成されており、蓋部９１３上に水が流入していない状態では、バランサ９１２によって回転軸９１１を介して反対側に設けられた蓋部９１３は上方に向かって移動され、係止片部９０４に係止された状態に維持されるように設定されている。この際、バランサ９１２は略水平方向に位置するように設定されている。
また、蓋部９１３および本体９０１で区画される空間９０５に雨水等が所定量貯留されると、その雨水等および蓋部９１３の合計重量が前記バランサ９１２よりも重くなり、蓋部９１３が下方に回動し、かつ前記バランサ９１２は連通孔９０３を介して上方に回動するように、バランサ９１２や蓋部９１３の重量が設定されている。
【００５６】
このような本実施形態においては、パネル体保持開口部７５に浸入した雨水等は、連通孔８１を介して貯水空間８０に流入する。貯水空間８０に流入した雨水は、図９に示すように、貯水空間８０の底面に設けられた排水弁９００において、斜め下方に延長された蓋部９１３の上側の空間９０５に流入する。
そして、蓋部９１３の上側の空間９０５に所定量の雨水が流入すると、図１０に示すように、蓋部９１３が下方に回動し、連通孔９０３が開く。これにより、図１１に示すように、貯水空間８０内の雨水等が空間９０５、連通孔９０３を介して中空部６３６，６４６に流下し、排水口８３０から外部に排出される。
【００５７】
貯水空間８０の雨水等が排出されると、バランサ９１２によって蓋部９１３が上方に回動し、係止片部９０４に係合して停止する。これにより、連通孔９０３が弁体９１０で閉塞されることになる。
【００５８】
このような本実施形態においても、前記各実施形態と同様の作用効果を奏することができる。
また、排水弁９００を貯水空間８０の底面に配置したので、貯水空間８０内の雨水等を効率よく排水することができる。
さらに、排水弁９００が下框６３０，６４０の室外側に露出しないので、下框６３０，６４０の外観を向上できる。
但し、排水弁９００は、下框６３０，６４０の左右両端の開口部分から貯水空間８０内に取り付けなければならないため、下框６３０，６４０の左右両端近傍でなければ取り付けが困難であるが、前記各実施形態では排水弁９０の取付位置の制約が少ないという利点がある。
【００５９】
なお、本発明は前記各実施形態の構成に限定されるものではない。
例えば、下框の構成としては、前記各実施形態のものに限らず、例えば、図１２に示すように、アルミなどの金属製の室外部材６１０と、合成樹脂製、木製、木粉入り樹脂製等で構成された室内部材６２０とで構成された下框６００を用いてもよい。この場合は、室外部材６１０に中空部を形成して貯水空間８０とし、貯水空間８０とパネル体保持開口部７５とを仕切る形材部分に連通孔８１を形成し、室外部材６１０の室外側面部に排水口８２を形成して排水弁９０を取り付ければよい。
【００６０】
また、前記各実施形態では、貯水空間８０を設け、この貯水空間８０に連通する排水口８２に排水弁９０，９００を設けていたが、図１３に示すように、パネル体保持開口部７５に直接連通する排水口８２１を形成し、この排水口８２１に排水弁９０，９００を設けてもよい。この場合、下框に貯水空間８０を形成する必要がないため、下框の高さ寸法を抑えることができるという利点がある。
但し、前記各実施形態のように、貯水空間８０を設けた方が、より多くの雨水等を貯めることができ、外部の気圧が高い場合でも確実に弁体９２，９１０を開くことができる点で有利である。
なお、第４実施形態において、パネル体保持開口部７５に面する第１連結部６３３，６４３部分に排水弁９００を設け、下框６３０，６４０内の中空部を排水路として用い、この中空部に面する排水口を形成することで、貯水空間が設けられていない排水路を介して排水するようにしてもよい。
【００６１】
さらに、前記各実施形態では、本発明を下框６３，６４に適用していたが、例えば、横桟に適用してもよい。要するに、本発明は、パネル体の下端縁を保持する下框や横桟等の各種の横框に適用することができる。
また、下框や横桟等の横框においては、押縁を用いてパネル体を保持する横框を利用することもできる。例えば、前記第１実施形態の下框６３，６４において、室内部材６３Ｂ，６４Ｂのガラス保持片７２部分を、室内部材６３Ｂ，６４Ｂに対して着脱可能な押縁で構成してもよい。同様に第３実施形態の下框６３０，６４０において、室内側面部６３２，６４２の第１連結部６３３，６４３よりも上方の部分を、着脱可能な押縁で構成してもよい。要するに、本発明においてパネル体保持開口部を区画する部分は、前記実施形態のように、室内部材や室内側面部等に一体的に構成されたものに限らず、これらに対し着脱可能な押縁で構成されたものでもよい。
【００６２】
また、本発明は、引違い窓の障子に適用される場合に限らず、各種の開き窓、辷り出し窓、内倒し窓等の開閉窓の各種障子や、窓枠に障子を固定して構成されるＦＩＸ窓の障子部分等、パネル体を保持する横框に広く適用できる。また、本発明は、サッシ窓に用いられる障子の横框に適用されるものに限らず、玄関ドア等の障子（扉や戸等）に設けられる横框にも適用できる。
障子に組み込まれるパネル体は、複層ガラス、単板ガラス、ガラス以外の各種材料で構成されたパネル体等が利用できる。さらに、障子の横框の材質としては、前記各実施形態に限らず、例えば、合成樹脂材のみで構成された横框にも適用可能である。
【００６３】
排水弁の具体的な構造も前記各実施形態に限らず、実施にあたって適宜設計すればよい。
また、障子やドアの上框や縦框、窓枠やドア枠の枠材の具体的な構造は、実施にあたって適宜設定すればよい。
【産業上の利用可能性】
【００６４】
本発明は、パネル体を保持する障子を有するサッシ窓やドア等の各種建具に利用できる。
【図面の簡単な説明】
【００６５】
【図１】本発明の第１実施形態にかかるサッシ窓を示す縦断面図。
【図２】第１実施形態にかかる下框および下枠を示す縦断面図。
【図３】第１実施形態にかかる下框および下枠を示す縦断面図。
【図４】第１実施形態にかかる排水弁および排水口部分を示す分解斜視図。
【図５】第２実施形態にかかる下框および下枠を示す縦断面図。
【図６】第３実施形態にかかる下框および下枠を示す縦断面図。
【図７】第４実施形態にかかる下框および下枠を示す縦断面図。
【図８】第４実施形態にかかる排水弁を示す断面図。
【図９】第４実施形態にかかる排水弁の動作説明図。
【図１０】第４実施形態にかかる排水弁の動作説明図。
【図１１】第４実施形態にかかる排水弁の動作説明図。
【図１２】本発明の変形例の下框を示す縦断面図。
【図１３】本発明の他の変形例の下框を示す縦断面図。
【符号の説明】
【００６６】
１…サッシ窓、５…床板、１０…窓枠、１１…上枠、１２，１２０…下枠、１１Ａ，１２Ａ…室外部材、１１Ｂ，１２Ｂ…室内部材、１１Ｃ，１２Ｃ…連結部材、１５…外レール、１６…内レール、１７…外レール、１８…内レール、２０Ａ…外障子、２０Ｂ…内障子、２２…水溜空間、２３…排出口、３２…戸車、４１…支持片部、４４…上面、５０…アングル部、５１，５２…溝部、５３，５４，５５，５７…水抜き孔、５６…中空部、６１，６２…上框、６３，６４…下框、６１Ａ〜６４Ａ…室外部材、６１Ｂ〜６４Ｂ…室内部材、６１Ｃ，６２Ｃ…連結部材、６５…複層ガラス、６６…ガスケット、６７…ポケット部上面、７０…立上部材、７１，７２…ガラス保持片、７３…中空部、７３Ａ…室外面、７４…上面、７５…パネル体保持開口部、７６…セッティングブロック、７７…垂下片、７９Ａ…上面部、７９Ｂ…室内側面部、８０…貯水空間、８１…連通孔、８２…排水口、９０…排水弁、９１…本体、９２…弁体、９３…係合用突起、９４…表面カバー部、９５…貫通孔、９６…傾斜部、６００…下框、６１０…室外部材、６２０…室内部材、６３０，６４０…下框、６３１，６４１…室外側面部、６３２，６４２…室内側面部、６３１Ｃ，６４１Ｃ…第１連結部材、６３２Ｃ，６４２Ｃ…第２連結部材、６３３Ｃ，６４３Ｃ…第３連結部材、６３３，６４３…第１連結部、６３４，６４４…第２連結部、６３６，６４６…中空部、８２０…第１排水口、８３０…第２排水口、９００…排水弁、９０１…本体、９０２…カバー部、９０３…連通孔、９０４…係止片部、９０５…空間、９１０…弁体、９１１…回転軸、９１２…バランサ、９１３…蓋部。
【図１】
2005097928.tif 000003
【図２】
2005097928.tif 000004
【図３】
2005097928.tif 000005
【図４】
2005097928.tif 000006
【図５】
2005097928.tif 000007
【図６】
2005097928.tif 000008
【図７】
2005097928.tif 000009
【図８】
2005097928.tif 000010
【図９】
2005097928.tif 000011
【図１０】
2005097928.tif 000012
【図１１】
2005097928.tif 000013
【図１２】
2005097928.tif 000014
【図１３】
2005097928.tif 000015